(57)【特許請求の範囲】
【請求項１】
アナログテレビジョン信号である高周波信号を第１局部発振信号と混合して得られる中間周波信号を映像搬送波再生回路に供給して映像搬送波を再生し、
前記中間周波信号を位相比較器に供給してこの位相比較出力に基づく可変周波数発振器からの信号と位相比較して、前記位相比較出力としての音声信号成分を得ると共に、
この位相比較出力としての音声信号成分から、前記映像搬送波再生回路で再生された映像搬送波を減算して、前記映像搬送波に含まれる位相雑音又は周波数変化に対応した前記音声信号成分の変動を除去する
ことを特徴とするアナログテレビジョン信号の受信方法。
【請求項２】
前記中間周波信号をＡ／Ｄ変換して以降の処理をデジタル処理で行う
ことを特徴とする請求の範囲第１項に記載のアナログテレビジョン信号の受信方法。
【請求項３】
アナログテレビジョン信号である高周波信号を第１局部発振信号と混合して得られる中間周波信号を供給して映像搬送波を再生する映像搬送波再生回路と、
前記中間周波信号を供給してこの位相比較出力に基づく可変周波数発振器からの信号と位相比較して、前記位相比較出力としての音声信号成分を得る位相比較器と、
この位相比較出力としての音声信号成分から、前記映像搬送波再生回路で再生された映像搬送波を減算して、前記映像搬送波に含まれる位相雑音又は周波数変化に対応した前記音声信号成分の変動を除去する演算手段と
を有することを特徴とするアナログテレビジョン信号の受信装置。
【請求項４】
前記中間周波信号をＡ／Ｄ変換して以降の処理をデジタル処理で行う
ことを特徴とする請求の範囲第３項に記載のアナログテレビジョン信号の受信装置。
【発明の詳細な説明】
【技術分野】
【０００１】
本発明は、アナログテレビジョン信号の受信をデジタル処理で行えるようにしたアナログテレビジョン信号の受信方法及び装置に係り、特に、例えば信号処理をデジタルで行うテレビジョン受信機に使用して好適なアナログテレビジョン信号の受信方法及び装置に関する。
【背景技術】
【０００２】
例えばアナログテレビジョン信号を受信する装置においては、従来からＦＩＧ．２に示すようなアナログ処理による手段が用いられている。すなわちＦＩＧ．２において、入力端子２１に供給される高周波信号が第１混合回路２２に供給され、第１局部発振回路２３からの第１局部発振信号と混合されて中間周波信号が形成される。この第１混合回路２２からの中間周波信号が映像搬送波再生回路２４及び映像復調回路２５に供給されて、復調された映像信号が出力端子２６に取り出される。
【０００３】
また、第１混合回路２２からの中間周波信号が第２混合回路２７に供給され、映像搬送波再生回路２４からの映像搬送波と混合される。これによって搬送波位相の安定された変調音声信号が形成され、この変調音声信号が音声復調回路２８に供給されて、復調された音声信号が出力端子２９に取り出される。このようにして、入力端子２１に供給される高周波信号に含まれた映像信号及び音声信号が復調されて、出力端子２６及び２９に取り出される。
【０００４】
すなわちこの装置において、一般的なアナログテレビジョン信号の映像変調方式は搬送波抑圧振幅変調方式であり、映像搬送波再生回路２４で映像搬送波の再生が行われる。そしてこのような搬送波抑圧振幅変調方式による信号は位相雑音や周波数変化には耐性があるので、この再生された映像搬送波を用いて映像復調回路２５での復調が行われて、復調された映像信号を出力端子２６に取り出すことができるものである。
【０００５】
これに対して、アナログテレビジョン信号の音声変調方式は、一般的には周波数変調方式であり、このような周波数変調方式による信号は位相雑音や周波数変化の影響を受けやすいものである。しかしながら上述の装置では、第２混合回路２７に対して映像搬送波再生回路２４で再生された映像搬送波が供給されることにより、この映像搬送波に含まれる位相雑音や周波数変化によって変調音声信号の位相雑音や周波数変化が相殺され、安定した信号とすることができる。
【０００６】
このようにして、位相雑音や周波数変化の除かれて安定した変調音声信号が第２混合回路２７から取り出され、この第２混合回路２７からの信号が音声復調回路２８に供給される。従ってこの音声復調回路２８では、位相雑音や周波数変化の除かれた安定した変調音声信号から復調が行われることにより、安定した音声信号の復調が行われて、安定した音声信号出力を出力端子２９に取り出すことができるものである。
【０００７】
ところで、近年デジタル方式のテレビジョン放送が開始され、デジタルテレビジョン信号を受信するデジタルテレビジョン受信機の普及が始まっている。このようなデジタルテレビジョン受信機では、受信、復調等は全てデジタル処理で行われるものである。ところがアナログ方式のテレビジョン放送も行われている現状では、このようなデジタルテレビジョン受信機においても、アナログテレビジョン信号を受信できるようにする要求がある。
このため従来のデジタルテレビジョン受信機では、デジタル処理で行われるデジタルテレビジョン信号を受信する手段とは独立に、上述のＦＩＧ．２に示すようなアナログ処理によってアナログテレビジョン信号を受信する手段が設けられているものであった。しかしながらこのような受信手段を独立に２系統設けることは、回路を構成する部品点数が増加し、製品コストの上昇や小型化に対して障害になると共に、消費電力の増加等の問題を招来するものである。
【発明の開示】
【発明が解決しようとする課題】
【０００８】
この出願はこのような点に鑑みて成されたものであって、解決しようとする問題点は、従来の装置では、アナログテレビジョン信号を受信する手段がアナログ処理であるために、デジタルテレビジョン信号の受信手段とアナログテレビジョン信号の受信手段とを独立に設けなくてはならず、回路を構成する部品点数が増加し、製品コストの上昇や小型化に対して障害になると共に、消費電力の増加等の問題を生じていたというものである。
【課題を解決するための手段】
【０００９】
本発明の請求の範囲第１項は、アナログテレビジョン信号である高周波信号を第１局部発振信号と混合して得られる中間周波信号を映像搬送波再生回路に供給して映像搬送波を再生し、中間周波信号を位相比較器に供給してこの位相比較出力に基づく可変周波数発振器からの信号と位相比較して、位相比較出力としての音声信号成分を得ると共に、この位相比較出力としての音声信号成分から、映像搬送波再生回路で再生された映像搬送波を減算して、映像搬送波に含まれる位相雑音又は周波数変化に対応した音声信号成分の変動を除去してなるものである。
【００１０】
これによって、アナログテレビジョン信号の受信をデジタル処理で行うことができ、デジタルテレビジョン信号の受信手段と共通化することができるものである。
【００１１】
また、本発明の請求の範囲第２項によれば、中間周波信号をＡ／Ｄ変換して以降の処理をデジタル処理で行うことによって、信号処理をデジタル処理で行うことができるものである。
【００１２】
さらに本発明の請求の範囲第３項は、アナログテレビジョン信号である高周波信号を第１局部発振信号と混合して得られる中間周波信号を供給して映像搬送波を再生する映像搬送波再生回路と、中間周波信号を供給してこの位相比較出力に基づく可変周波数発振器からの信号と位相比較して、位相比較出力としての音声信号成分を得る位相比較器と、この位相比較出力としての音声信号成分から、映像搬送波再生回路で再生された映像搬送波を減算して、映像搬送波に含まれる位相雑音又は周波数変化に対応した前記音声信号成分の変動を除去する演算手段とを有してなるものである。
【００１３】
これによって、アナログテレビジョン信号の受信をデジタル処理で行うことができ、デジタルテレビジョン信号の受信手段と共通化することができるものである。
【００１４】
また、本発明の請求の範囲第４項によれば、中間周波信号をＡ／Ｄ変換して以降の処理をデジタル処理で行うことによって、信号処理をデジタル処理で行うことができるものである。
【発明を実施するための最良の形態】
【００１５】
本発明においては、中間周波信号を位相比較器に供給してこの位相比較出力に基づく可変周波数発振器からの信号と位相比較すると共に、この位相比較出力から映像搬送波再生回路からの映像搬送波の変動成分を減算して音声信号成分の変動を除去するようにしたものであって、これによれば、アナログテレビジョン信号の受信をデジタル処理で行うことができ、デジタルテレビジョン信号の受信手段と共通化することができる。
【００１６】
以下、図面を参照して本発明を説明するに、ＦＩＧ．１は本発明によるアナログテレビジョン信号の受信方法及び装置を適用したテレビジョン受信機の要部の回路の一実施形態の構成を示すブロック図である。
【００１７】
ＦＩＧ．１において、入力端子１に供給される高周波信号が第１混合回路２に供給され、第１局部発振回路３からの第１局部発振信号と混合されて中間周波信号が形成される。この第１混合回路２からの中間周波信号がＡ／Ｄ変換回路４に供給されて、例えばサンプリング周波数２７ＭＨｚでデジタル信号に変換される。さらに変換されたデジタル信号が、デジタル処理による映像搬送波再生回路５及び映像復調回路６に供給されて、復調された映像デジタル信号が出力端子７に取り出される。
【００１８】
また、Ａ／Ｄ変換回路４からのデジタル信号が位相比較器１１に供給され、可変周波数発振器（以下、ＶＣＯと略称する）１２からの発振信号と位相比較される。そしてこの位相比較出力がＶＣＯ１２に供給されて、このＶＣＯ１２の発振信号が位相比較出力に基づいて可変される。この構成によってこの位相比較器１１は掛け算器として動作され、デジタル信号に含まれる音声デジタル信号の成分を任意の周波数に変換する動作が行われる。
すなわちＡ／Ｄ変換回路４からは中間周波信号の映像搬送波と音声搬送波を含んだデジタル信号が取り出されている。そこでＶＣＯ１２の基準の発振周波数を、例えば音声搬送波周波数とすることにより、位相比較器１１からはこの音声搬送波周波数に近い周波数帯域のデジタル信号成分が、例えばベースバンドに近い周波数帯域に変換されて取り出される。ただしここで取り出されるデジタル信号には、位相雑音や周波数変化の影響が残されているものである。
【００１９】
そこでさらにこの位相比較器１１の位相比較出力が加算器（演算手段）１３に供給されて、上述の映像搬送波再生回路５で再生された映像搬送波成分が減算される。これによって搬送波位相の安定された音声デジタル信号が形成される。すなわち映像搬送波再生回路５で再生された映像搬送波成分には中間周波信号のデジタル信号と同等の位相雑音や周波数変化が含まれており、この映像搬送波成分が減算されることによって、周波数変換されたデジタル信号の位相雑音や周波数変化が相殺されて安定した音声デジタル信号が形成される。
【００２０】
従ってこれらの位相比較器１１及び加算器１３では、位相雑音や周波数変化の除かれて安定した音声デジタル信号が形成され、従来の第２混合回路２７と同等の処理が行われる。そしてこの搬送波位相の安定された音声デジタル信号が低域通過フィルタ１４に供給され、可聴帯域以外の信号の除かれて、復調された音声デジタル信号が出力端子１５に取り出される。このようにして、入力端子１に供給される高周波信号に含まれた映像信号及び音声信号が復調されて、出力端子７及び１５に取り出される。
【００２１】
そしてこの装置において、位相比較器１１〜低域通過フィルタ１４の処理は全てデジタル処理で行われるものであり、アナログテレビジョン信号を受信する手段をデジタル処理で実現することができる。これによってデジタルテレビジョン信号の受信手段と親和性のあるアナログテレビジョン信号の受信手段を形成することができ、デジタルテレビジョン信号の受信手段とアナログテレビジョン信号の受信手段との回路構成を共通化することができる。
【００２２】
従ってこの実施形態において、中間周波信号を位相比較器に供給してこの位相比較出力に基づく可変周波数発振器からの信号と位相比較すると共に、この位相比較出力から映像搬送波再生回路からの映像搬送波の変動成分を減算して音声信号成分の変動を除去するようにしたことによって、アナログテレビジョン信号の受信をデジタル処理で行うことができ、デジタルテレビジョン信号の受信手段と共通化することができる。
【００２３】
これによって、従来の装置では、アナログテレビジョン信号を受信する手段がアナログ処理であるために、デジタルテレビジョン信号の受信手段とアナログテレビジョン信号の受信手段とを独立に設けなくてはならず、回路を構成する部品点数が増加し、製品コストの上昇や小型化に対して障害になると共に、消費電力の増加等の問題を生じていたものを、本発明によればこれらの問題点を容易に解消することができるものである。
【００２４】
こうして上述のアナログテレビジョン信号の受信方法によれば、高周波信号を第１局部発振信号と混合して得られる中間周波信号を映像搬送波再生回路に供給して映像搬送波を再生し、中間周波信号を位相比較器に供給してこの位相比較出力に基づく可変周波数発振器からの信号と位相比較すると共に、この位相比較出力から映像搬送波再生回路からの映像搬送波の変動成分を減算して音声信号成分の変動を除去することにより、アナログテレビジョン信号の受信をデジタル処理で行うことができるものである。
【００２５】
また、上述のアナログテレビジョン信号の受信装置によれば、高周波信号を第１局部発振信号と混合して得られる中間周波信号を供給して映像搬送波を再生する映像搬送波再生回路と、中間周波信号を供給してこの位相比較出力に基づく可変周波数発振器からの信号と位相比較する位相比較器と、この位相比較出力から映像搬送波再生回路からの映像搬送波の変動成分を減算して音声信号成分の変動を除去する演算手段とを有することにより、アナログテレビジョン信号の受信をデジタル処理で行うことができるものである。
【００２６】
なお本発明は、上述の説明した実施の形態に限定されるものではなく、本発明の精神を逸脱することなく種々の変形が可能とされるものである。
【図面の簡単な説明】
【００２７】
【図１】ＦＩＧ．１は、本発明によるアナログテレビジョン信号の受信方法及び装置を適用したテレビジョン受信機の要部の回路の一実施形態の構成を示すブロック図である。
【図２】ＦＩＧ．２は、従来のアナログテレビジョン受信機の説明のためのブロック図である。
【符号の説明】
【００２８】
１，２１…………入力端子
２，２２…………第１混合回路
３，２３…………第１局部発振回路
４…………………Ａ／Ｄ変換回路
５，２４…………映像搬送波再生回路
６，２５…………映像復調回路
７，２６…………映像出力端子
１１………………位相比較器
１２………………可変周波数発振器（ＶＣＯ）
１３………………加算器（演算手段）
１４………………低域通過フィルタ
１５，２９………音声出力端子
２７………………第２混合回路
２８………………音声復調回路
【図１】
0004232630.tif 000002
【図２】
0004232630.tif 000003
0004232630.tif 000004